(57)【要約】      （修正有）【課題】患者の患部の血行を促進し、患部の回復を速めることができる熱療用プロテクター電熱装置を提供する。【解決手段】プロテクター本体と、発熱層と、制御装置と、を含む熱療用プロテクター電熱装置において、前記プロテクター本体は、前記制御装置を収容する収容部を有し、前記収容部には貫通孔が開設されており、前記貫通孔には透明フィルムがカバーされており、前記発熱層は、前記プロテクター本体の内面に組み付けられており、ハイインピーダンスワイヤと、前記ハイインピーダンスワイヤと電気的に接続しているケーブルと、前記ハイインピーダンスワイヤと前記ケーブルとを覆うカバー層と、を含み、前記ケーブルが前記カバー層の外部に伸びており、前記ケーブルの端部にはプラグが設けられており、前記制御装置の端部には挿入穴が開設されており、前記挿入穴に前記プラグを挿入すると、前記ケーブルが前記制御装置と電気的に接続している。【選択図】図２
0003150194.tif 000002
【実用新案登録請求の範囲】
【請求項１】
プロテクター本体と、発熱層と、制御装置と、を含む熱療用プロテクター電熱装置において、
前記プロテクター本体は、前記制御装置を収容する収容部を有し、前記収容部には貫通孔が開設されており、前記貫通孔には透明フィルムがカバーされており、
前記発熱層は、前記プロテクター本体の内面に組み付けられており、ハイインピーダンスワイヤと、前記ハイインピーダンスワイヤと電気的に接続しているケーブルと、前記ハイインピーダンスワイヤと前記ケーブルとを覆うカバー層と、を含み、前記ケーブルが前記カバー層の外部に伸びており、前記ケーブルの端部にはプラグが設けられており、
前記制御装置の端部には挿入穴が開設されており、前記挿入穴に前記プラグを挿入すると、前記ケーブルが前記制御装置と電気的に接続しており、前記制御装置には、温度制御スイッチ及び温度制御子と電気的に接続している制御ボタンが設けられており、且つ前記制御装置の内部には電池が設けられていることを特徴とする
熱療用プロテクター電熱装置。
【請求項２】
前記プロテクター本体は、腰プロテクターであり、矩形部が形成されており、前記矩形部の両側には括りバンドがそれぞれ設けられており、前記括りバンドのうちの一つの端部には接合具が設けられており、前記発熱層には、前記矩形部に応じて矩形ストリップが形成されていることを特徴とする、請求項１に記載の熱療用プロテクター電熱装置。
【請求項３】
前記プロテクター本体は、肩プロテクターであり、ユーザの肩部に対応する凹み部を有し、前記凹み部の下縁には両側に伸びている括りバンドがそれぞれ設けられており、前記括りバンドの端部には接合具が設けられており、前記凹み部の上縁の一側には括りバンドが接続しており、前記凹み部の上縁の他側には係合具が設けられており、前記係合具には前記括りバンドを貫入して係止可能の係り穴が開設されており、前記発熱層は、二つの円弧形状ストリップを接続して構成されるものであり、前記凹み部に組み付けられることを特徴とする、請求項１に記載の熱療用プロテクター電熱装置。
【請求項４】
前記プロテクター本体は、膝プロテクターであり、その一面がユーザの膝部に対応する半球形状部に成形され、前記半球形状部の両側には括りストリップが伸びており、前記括りストリップの端部には接合具が設けられており、且つ発熱層が円形ストリップに形成され、前記円形ストリップには割れ目が複数に設けられており、これらの割れ目により前記円形ストリップを前記プロテクター本体の前記半球形状部に組付けることができることを特徴とする、請求項１に記載の熱療用プロテクター電熱装置。
【請求項５】
前記ハイインピーダンスワイヤは炭素繊維で作製されたワイヤであることを特徴とする、請求項１に記載の熱療用プロテクター電熱装置。
【請求項６】
前記制御装置は、更に、温度表示ユニットが設けられていることを特徴とする、請求項１に記載の熱療用プロテクター電熱装置。
【請求項７】
前記電池は充電可能の電池であってもよいことを特徴とする、請求項１に記載の熱療用プロテクター電熱装置。
【請求項８】
更に、充電可能の電池と電気的に接続している充電器が設けられていることを特徴とする、請求項７に記載の熱療用プロテクター電熱装置。
【考案の詳細な説明】
【技術分野】
【０００１】
本考案は熱療用プロテクター電熱装置（温熱療法用プロテクター電熱装置）に関し、特に、プロテクター本体には発熱層が設けられており、制御装置と電気的に接続しているケーブルが発熱層から伸びており、制御装置には、発熱層のオン・オフ及び温度を制御する制御ボタンが設けられており、発熱層により患者の患部の血行が促進され、患部の回復を速めることができる熱療用プロテクター電熱装置に関するものである。
【背景技術】
【０００２】
腰プロテクター、肩プロテクターや膝プロテクター等のプロテクターは、怪我の有無に拘らず、関節、腱や靭帯等を支持したり、圧迫したりするための保護具である。
これらのプロテクターにより、ユーザの運動による傷害を防止することができる。すなわち、プロテクターの支持により、傷害の範囲の拡大を抑止でき、プロテクターの圧迫により、患部の膨らみの拡大を抑止することができる。
従来の腰プロテクター、肩プロテクターや膝プロテクター等のプロテクターは、以上の機能の他に、熱療効果を追加すれば、患部の血行が促進され、患部の回復を速めることができる。
電熱ヒータを設けたプロテクターが、例えば米国特許第５８９１１８９号の「熱伝導装置」、米国特許第５９２８２７５号の「加熱機能付きベルト」が提案されている。
これらは、プロテクターの内部には電熱ヒータが設けられている。電熱ヒータと電気的に接続しているケーブルは、前記プロテクターから伸びていて、電源供給器と電気的に接続している。
しかし、このような構成によれば、ストリップ形状を呈する電熱ヒータが硬いので、患者の身体の曲線に良く合うことができず、理想的な熱療効果を達成することができない。
また、電熱ヒータがケーブルを介してプロテクターの外部にある電源供給器と電気的に接続しているが、ケーブルが外部に露出することに伴い、全体の見栄えが低下し、且つ周囲の異物に係られると、電気回路が開回路になる虞がある。
上記の電源供給器は単純に電力を供給し、電熱ヒータによる温度が適正でない場合に電流を調整可能な手段が設けられないので、適正に温度調整をすることができず、使用するうえで利便性が良くない。
【先行技術文献】
【特許文献】
【０００３】
【特許文献１】米国特許第５８９１１８９号明細書
【特許文献２】米国特許第５９２８２７５号明細書
【考案の概要】
【考案が解決しようとする課題】
【０００４】
本考案の主な目的は、発熱層により患者の患部の血行が促進され、患部の回復を速めることができる熱療用プロテクター電熱装置を提供することにある。
【課題を解決するための手段】
【０００５】
本考案の請求項１に記載の熱療用プロテクター電熱装置によると、プロテクター本体と、発熱層と、制御装置と、を含む熱療用プロテクター電熱装置において、
前記プロテクター本体は、前記制御装置を収容する収容部を有し、前記収容部には貫通孔が開設されており、前記貫通孔には透明フィルムがカバーされており、
前記発熱層は、前記プロテクター本体の内面に組み付けられており、ハイインピーダンスワイヤと、前記ハイインピーダンスワイヤと電気的に接続しているケーブルと、前記ハイインピーダンスワイヤと前記ケーブルとを覆うカバー層と、を含み、前記ケーブルが前記カバー層の外部に伸びており、前記ケーブルの端部にはプラグが設けられており、
前記制御装置の端部には挿入穴が開設されており、前記挿入穴に前記プラグを挿入すると、前記ケーブルが前記制御装置と電気的に接続しており、前記制御装置には、温度制御スイッチ及び温度制御子と電気的に接続している制御ボタンが設けられており、且つ前記制御装置の内部には電池が設けられていることを特徴とする熱療用プロテクター電熱装置である。
本考案の請求項２に記載の熱療用プロテクター電熱装置によると、前記プロテクター本体は、腰プロテクターであり、矩形部が形成されており、前記矩形部の両側には括りバンドがそれぞれ設けられており、前記括りバンドのうちの一つの端部には接合具が設けられており、前記発熱層には、前記矩形部に応じて矩形ストリップが形成されている。
本考案の請求項３に記載の熱療用プロテクター電熱装置によると、前記プロテクター本体は、肩プロテクターであり、ユーザの肩部に対応する凹み部を有し、前記凹み部の下縁には両側に伸びている括りバンドがそれぞれ設けられており、前記括りバンドの端部には接合具が設けられており、前記凹み部の上縁の一側には括りバンドが接続しており、前記凹み部の上縁の他側には係合具が設けられており、前記係合具には前記括りバンドを貫入して係止可能の係り穴が開設されており、前記発熱層は、二つの円弧形状ストリップを接続して構成されるものであり、前記凹み部に組み付けられる。
本考案の請求項４に記載の熱療用プロテクター電熱装置によると、前記プロテクター本体は、膝プロテクターであり、その一面がユーザの膝部に対応する半球形状部に成形され、前記半球形状部の両側には括りストリップが伸びており、前記括りストリップの端部には接合具が設けられており、且つ発熱層が円形ストリップに形成され、前記円形ストリップには割れ目が複数に設けられており、これらの割れ目により前記円形ストリップを前記プロテクター本体の前記半球形状部に組付けることができる。
本考案の請求項５に記載の熱療用プロテクター電熱装置によると、前記ハイインピーダンスワイヤは炭素繊維で作製されたワイヤである。
本考案の請求項６に記載の熱療用プロテクター電熱装置によると、前記制御装置は、更に、温度表示ユニットが設けられている。
本考案の請求項７に記載の熱療用プロテクター電熱装置によると、前記電池は充電可能の電池であってもよい。
本考案の請求項８に記載の熱療用プロテクター電熱装置によると、更に、充電可能の電池と電気的に接続している充電器が設けられている。
【考案の効果】
【０００６】
本考案に係る熱療用プロテクター電熱装置によれば、次のような効果がある。
（１）プロテクターは、患者の腰部、肩部や膝部にある患部を支持し、又は圧迫することができ、そしてプロテクター本体に組み付けられた発熱層による熱が患者の患部を熱療することができる。これにより、患部の血行が促進され、患部の回復を速めることができる。
（２）本考案に係る発熱層は、適用する患部に応じて適当の形（例えば矩形ストリップ、二つの円弧形状ストリップから構成されるもの、又は複数の割れ目が開設された円形ストリップ）に成形されるので、患者の患部の曲線によく合わせることができるので、熱療効果を向上させることができる。
（３）本考案に係る発熱層の内部に設けられ炭素繊維で作製されたハイインピーダンスワイヤの柔軟性により、発熱層が患者の患部の曲線に良く合わせることができるので、熱療効果を向上することができる。
（４）本考案に係る発熱層がプロテクター本体の内面に組み付けられ、発熱層から伸びているケーブルがプロテクター本体の収容部に収容されている制御装置と電気的に接続しており、ケーブルと制御装置とがプロテクター本体内に設けられている。そのため、全体の見栄えが綺麗になり、且つ周囲の異物に係られて電気回路が開回路になることがなくなる。
（５）電池が制御装置内に組み付けられており、制御装置に設けられた制御ボタンを押圧することにより、電池からの電流を調整することができるので、発熱層による熱の量を適正に調整することができる。
（６）プロテクター本体は、制御装置を収容する収容部を有し、収容部には貫通孔が開設されており、貫通孔には透明フィルムがカバーされているので、貫通孔により制御装置のオン・オフ状態及び温度設定を容易に確認することができる。そして制御装置の外部から制御ボタンを押圧することにより、発熱層の温度を調整することができる。
【図面の簡単な説明】
【０００７】
【図１】本考案の斜視図である。
【図２】腰プロテクターに適用される本考案の分解斜視図である。
【図３】本考案の断面図である。
【図４】肩プロテクターに適用される本考案の分解斜視図である。
【図５】膝プロテクターに適用される本考案の分解斜視図である。
【図６】本考案の電気回路図である。
【考案を実施するための形態】
【０００８】
以下、本考案の実施の形態を図面に基づいて説明する。
まず、図１及び図２を参照する。本考案に係る熱療用プロテクター電熱装置は、プロテクター本体１と、発熱層２と、制御装置３と、充電器４と、を含む。
【０００９】
プロテクター本体１は、制御装置３を収容する収容部１１を有し、収容部１１には貫通孔１１１が開設されており、図３に示すように、貫通孔１１１１には透明フィルム１１２がカバーされており、貫通孔１１１１により制御装置３のオン・オフ状態及び温度設定を確認することができる。
プロテクター本体１が腰プロテクターである場合には、プロテクター本体１が矩形部１２に形成され、矩形部１２の両側には括りバンド１２１がそれぞれ設けられており、括りバンド１２１のうちの一つの端部には接合具１２２が設けられている。
【００１０】
また、図４を参照する。プロテクター本体１が肩プロテクターである場合には、プロテクター本体１がユーザの肩部に対応する凹み部１３を有し、凹み部１３の下縁には両側に伸びている括りバンド１４がそれぞれ設けられており、括りバンド１４の端部には接合具１４１が設けられており、凹み部１３の上縁の一側には括りバンド１５が接続しており、凹み部１３の上縁の他側には係合具１５１が設けられており、係合具１５１には括りバンド１５を貫入して係止可能の係り穴１５２が開設されている。
【００１１】
また、図５を参照する。プロテクター本体１が膝プロテクターである場合には、プロテクター本体１の一面がユーザの膝部に対応する半球形状部１６に成形され、半球形状部１６の両側には括りストリップ１７が伸びており、括りストリップ１７の端部には接合具１７１が設けられている。
発熱層２は、プロテクター本体１の内面に組み付けられており、ハイインピーダンスワイヤ２１（本実施例では、炭素繊維で作製されたワイヤであり）と、ハイインピーダンスワイヤ２１と電気的に接続しているケーブル２２と、ハイインピーダンスワイヤ２１とケーブル２２とを覆う布質のカバー層２３と、を含み、ケーブル２２がカバー層２３の外部に伸びており、ケーブル２２の端部にはプラグ２２１が設けられている。
【００１２】
図２に示すように、プロテクター本体１が腰プロテクターである場合には、発熱層には、矩形部１２に応じて矩形ストリップが形成されている。
【００１３】
図４に示すように、プロテクター本体１が肩プロテクターである場合には、発熱層は、二つの円弧形状ストリップを接続して構成されるものであり、凹み部１３を覆うように組み付けられる。
【００１４】
図５に示すように、プロテクター本体１が膝プロテクターである場合には、発熱層２が円形ストリップに形成され、前記円形ストリップには割れ目が複数に設けられており、これらの割れ目により前記円形ストリップをプロテクター本体１の半球形状部１６に組付けることができる。
【００１５】
制御装置３は、図６に示すように、その端部には挿入穴３１が開設されており、挿入穴３１にプラグ２２１を挿入すると、ケーブル２２が制御装置３と電気的に接続しており、制御装置３には、温度制御スイッチ３３及び温度制御子３４（本実施例では、温度制御電気抵抗であり）と電気的に接続している制御ボタン３２が設けられており、且つ制御装置３の内部には電池３５が設けられており、電池３５は充電器４と電気的に接続している充電可能の電池であってもよく、制御装置３には、温度を表示するための温度表示ユニットが設けられている。
【００１６】
次に、図１及び図２を参照しながら本考案の使用状態を説明する。
ユーザは、患部の所在位置によって、適当のプロテクターを選択して使用することが必要であり、例えば患部が腰にある場合には、矩形部１２を有する腰プロテクターを採用し、これにより、腰部全体を巻くことができ、そして括りバンド１２１によって腰プロテクターをを固定して、制御装置３をオンにして発熱層２を温度を設定し、そうすると、発熱層２からの熱により患部を熱療することができ、且つ発熱層２の内部に設けられ炭素繊維で作製されたハイインピーダンスワイヤ２１の柔軟性により、発熱層２が患者の身体の曲線に良く合うことができ、熱療効果を向上することができる。
【００１７】
また、図４を参照する。患部が肩にある場合には、凹み部１３を形成された肩プロテクターを採用し、凹み部１３を患者の肩部に対応させて、凹み部１３の下縁に設けられた括りバンド１４を接合具１４１によって相互に括らせて、凹み部１３の上縁に接続された括りバンド１５を患者の後ろから前へ患者の他側の肩部及びアームを掛け回して、凹み部１３の上縁の他側に設けられた係合具１５１に開設された係り穴１５２に括りバンド１５を貫入して係止すると、患者の肩部に肩プロテクターを安定に固定することができる。
【００１８】
また、図５を参照する。患部が膝にある場合には、半球形状部１６が成形された膝プロテクターを採用し、患者の膝部に半球形状部１６を対応させて、半球形状部１６と接続している括りストリップ１７を括りストリップ１７の端部に設けられた接合具１７１によって相互に括らせると、患者の膝部に膝プロテクターを安定に固定することができる。
【００１９】
また、図１乃至図３を参照する。本考案に係るプロテクターによって患部の患部を熱療する場合には、発熱層２からの熱が不適正であるときには、患者が制御装置３の外部から制御ボタン３２のオン・オフ状態と温度設定とを確認することができ、外部から制御ボタン３２を押圧することにより、発熱層２の温度を調整することができ、そうすると、患者の患部の回復速度を速めることができる。
【符号の説明】
【００２０】
１：プロテクター本体、２：発熱層、３：制御装置、４：充電器、１１：収容部、１２：矩形部、１３：凹み部、１４：括りバンド、１５：括りバンド、１６：半球形状部、１７：括りストリップ、２１：ハイインピーダンスワイヤ、２２：ケーブル、２３：カバー層、３１：挿入穴、３２：制御ボタン、３３：温度制御スイッチ、３４：温度制御子、３５：電池、１１１：貫通孔、１１２：透明フィルム、１２１：括りバンド、１２２：接合具、１４１：接合具、１５１：係合具、１５２：係り穴、１７１：接合具、２２１：プラグ。
【図１】
0003150194.tif 000003
【図２】
0003150194.tif 000004
【図３】
0003150194.tif 000005
【図４】
0003150194.tif 000006
【図５】
0003150194.tif 000007
【図６】
0003150194.tif 000008